(57)【要約】【課題】作業者が両手で本体ケースを持った状態で、電源スイッチを切り換えることができ、作業を円滑に行うことができる電動作業機を提供する。【解決手段】チェンソー１（電動作業機）であって、本体ケース１０と、本体ケース１０の前部から前方に突出している切断部２０（作業工具）と、モータ３０と、モータ３０に電力を供給するバッテリ９０と、を備えている。本体ケース１０にモータ３０が収容されるとともに、本体ケース１０の後部にバッテリ９０を着脱自在である。本体ケース１０の上部には、前後方向に延びているトップハンドル４０が形成されている。トップハンドル４０の前部の上面には、サムレスト４５および電源スイッチ４６が設けられている。電源スイッチ４６は、サムレスト４５に対して左右方向の一方側に配置されている。【選択図】図３
2020157406.tif 000002
【特許請求の範囲】
【請求項１】
本体ケースと、
前記本体ケースの前部から前方に突出している作業工具と、
前記作業工具を駆動させるモータと、
前記モータに電力を供給するバッテリと、を備え、
前記本体ケースに前記モータが収容されるとともに、
前記本体ケースの後部に前記バッテリを着脱自在であり、
前記本体ケースの上部には、前後方向に延びているトップハンドルが形成され、
前記トップハンドルの前部の上面には、
サムレストと、
オンの状態で前記モータを駆動可能となり、オフの状態で前記モータの駆動を停止する電源スイッチと、が設けられ、
前記電源スイッチは、前記サムレストに対して左右方向の一方側に配置されていることを特徴とする電動作業機。
【請求項２】
請求項１に記載の電動作業機であって、
前記トップハンドルに把持部が形成されており、
前記サムレストは、前記把持部の左右方向の中央を通過している前後方向の軸線上に配置されていることを特徴とする電動作業機。
【請求項３】
請求項１または請求項２に記載の電動作業機であって、
前記電源スイッチは、押しボタン式スイッチであることを特徴とする電動作業機。
【請求項４】
請求項１から請求項３のいずれか一項に記載の電動作業機であって、
前記サムレストおよび前記電源スイッチは、前記トップハンドルの上面に形成された窪み面に設けられていることを特徴とする電動作業機。
【請求項５】
請求項１から請求項４のいずれか一項に記載の電動作業機であって、
前記本体ケースの左側の側面には、前後方向に延びている横ハンドルが取り付けられ、
前記電源スイッチは、前記サムレストに対して右側に配置されていることを特徴とする電動作業機。
【請求項６】
請求項１から請求項５のいずれか一項に記載の電動作業機であって、
前記サムレストには、前記電源スイッチのオンオフの状態を示す表示灯が設けられていることを特徴とする電動作業機。
【発明の詳細な説明】
【技術分野】
【０００１】
本発明は、電動作業機に関する。
【背景技術】
【０００２】
従来の電動式のチェンソーとしては、本体ケースにモータが収容されるとともに、本体ケースの後端部にバッテリが取り付けられており、本体ケースの上部にトップハンドルが形成されているものがある（例えば、特許文献１および特許文献２参照）。このようなチェンソーでは、バッテリを本体ケース内に収容する場合に比べて、大きなバッテリを取り付けることができる。
【０００３】
前記した特許文献１のチェンソーでは、本体ケースの前部に取り付けられたハンドガードを傾けることで、電源スイッチのオンオフが切り替わるように構成されている。そして、電源スイッチがオンの状態ではモータが駆動可能となり、オフの状態ではモータの駆動が停止した状態となる。
また、前記した特許文献２のチェンソーでは、トップハンドルの把持部の前側に電源スイッチが設けられている。
【先行技術文献】
【特許文献】
【０００４】
【特許文献１】特許第５４６２５７５号公報
【特許文献２】国際公開第２０１３／０３２３７４号
【発明の概要】
【発明が解決しようとする課題】
【０００５】
前記した特許文献１のような従来のチェンソーを用いて作業するときには、右手でトップハンドルを持ち、左手で横ハンドルを持つことになる。従来のチェンソーでは、作業中に電源スイッチのオンオフを切り替えるためには、左手を横ハンドルから離してハンドガードを操作する必要があるため、作業時に電源スイッチを操作し難いという問題がある。
【０００６】
また、前記した特許文献２のような従来のチェンソーでは、把持部の前側に親指の腹面を載せるスペースが存在していないため、トップハンドルを把持したときに、親指の先端をトップハンドルの下側に入り込ませることになる。このようにトップハンドルを握ると、安定性が低いため、作業性が良くないという問題がある。
【０００７】
本発明は、前記した問題を解決し、作業者がトップハンドルを安定して把持できるとともに、作業者が両手で本体ケースを持った状態で、電源スイッチを操作することができ、作業を円滑に行うことができる電動作業機を提供することを課題とする。
【課題を解決するための手段】
【０００８】
前記課題を解決するため、本発明は、電動作業機であって、本体ケースと、前記本体ケースの前部から前方に突出している作業工具と、前記作業工具を駆動させるモータと、前記モータに電力を供給するバッテリと、を備えている。前記本体ケースに前記モータが収容されるとともに、前記本体ケースの後部に前記バッテリを着脱自在である。前記本体ケースの上部には、前後方向に延びているトップハンドルが形成されている。前記トップハンドルの前部の上面には、サムレストと、オンの状態で前記モータを駆動可能となり、オフの状態で前記モータの駆動を停止する電源スイッチと、が設けられている。前記電源スイッチは、前記サムレストに対して左右方向の一方側に配置されている。
【発明の効果】
【０００９】
本発明の電動作業機では、作業者は把持部を把持したときに、親指の腹面をサムレストに載せることができるため、トップハンドルを安定して把持できる。
また、本発明の電動作業機では、作業者はトップハンドルを把持した状態で、親指によって電源スイッチのオンオフを切り替えることができる。したがって、作業中にトップハンドルを把持したままで電源スイッチをオフにしてモータを停止させた後に、トップハンドルを把持したままで電源スイッチをオンにして、速やかに作業を再開できる。
【００１０】
このように、本発明の電動作業機では、作業者がトップハンドルを安定して把持できるとともに、作業者が両手で電動作業機を持ったままで、電源スイッチのオンオフを切り換えることができるため、作業を円滑に行うことができ、作業効率を高めることができる。
また、電源スイッチの近傍にサムレストが位置しているので、作業者が作業中に誤操作で電源スイッチをオフにしても、作業者はトップハンドルを把持したまま、再び電源スイッチをオンに戻すことが簡単にできる。
【００１１】
また、本発明の電動作業機では、サムレストの側方に電源スイッチが配置されているため、トップハンドルの前後方向の長さを抑えて、本体ケースを小型化できる。
【図面の簡単な説明】
【００１２】
【図１】本発明の実施形態に係るチェンソーを示した側面図である。
【図２】本発明の実施形態に係るチェンソーを示した平面図である。
【図３】本発明の実施形態に係るチェンソーにおいてバッテリを外した状態の斜視図である。
【図４】本発明の実施形態に係るチェンソーにおけるサムレストおよび電源スイッチを示した図２のIV−IV断面図である。
【発明を実施するための形態】
【００１３】
本発明の実施形態の一例について、適宜図面を参照しながら詳細に説明する。
本実施形態の一例では、樹木や板などを切断するためのチェンソーに、本発明を適用した構成を例として説明する。以下の説明では、チェンソーの切断部側を前側として、トップハンドル側を上側としている。
【００１４】
チェンソー１は、図１に示すように、本体ケース１０と、本体ケース１０に設けられた切断部２０と、切断部２０を駆動させるモータ３０と、バッテリ９０と、を備えている。チェンソー１は、本体ケース１０に取り付けたバッテリ９０からモータ３０に電力が供給されることで、切断部２０が駆動する。
【００１５】
本体ケース１０は、図３に示すように、樹脂製の箱体である本体部１１と、本体部１１の上側に形成されたトップハンドル４０と、を備えている。このように、本体ケース１０の上部には、トップハンドル４０が形成されている。また、本体ケース１０の左側面には、横ハンドル５０が取り付けられている。
【００１６】
本体部１１の前部には、図１に示すように、モータ３０が収容されている。本体部１１の後部には、バッテリ９０を着脱自在なバッテリ着脱部１２が形成されている。
【００１７】
モータ３０は、公知の電動式モータである。モータ３０の出力軸３１は左右方向に延びている。
本体部１１の前部には、モータ３０の他に、モータ３０の駆動を制御する制御基板（図示せず）およびモータ３０の出力軸３１に連結された駆動ギヤ（図示せず）などの駆動機構が収容されている。
【００１８】
バッテリ着脱部１２は、本体部１１の後端面に形成されている。バッテリ着脱部１２には、バッテリ９０を保持する保持部１３と、バッテリ９０の下部が収容されるバッテリケース１４と、が形成されている。
【００１９】
保持部１３は、本体部１１の後端部と、本体部１１の後端部から上方に向けて延びている板状の部位とに形成されている。保持部１３は、上部よりも下部が前方に配置されるように傾斜している。図３に示すように、保持部１３の後面は、上端部から下端部に向かうに連れて漸次前方に変位した傾斜面となっている。
【００２０】
保持部１３の後面には、バッテリ９０を着脱するための着脱機構１５が設けられている。着脱機構１５には、バッテリ９０が上下方向に嵌め合わされるガイド部材と、バッテリ９０を下側から支持する支持部材（図示せず）と、が設けられている。
保持部１３にバッテリ９０を取り付ける場合には、バッテリ９０を着脱機構１５に対して下方に向けてスライドさせることで、図１に示すように、バッテリ９０を保持部１３に取り付けることができる。
【００２１】
バッテリ９０は、公知のバッテリであり、図３に示すように、上下方向に延びている直方体のケースに、リチウムイオン蓄電池などの二次電池を収容したものである。
バッテリ９０の高さは、図１に示すように、本体部１１の後部の高さよりも大きく形成されている。本実施形態のバッテリ９０は、本体ケース１０に収容するタイプのバッテリよりも大きく形成されている。そして、バッテリ９０は、作業に適した十分な高出力および充電容量を備えている。
【００２２】
保持部１３にバッテリ９０を取り付けた状態では、バッテリ９０の長手方向が本体ケース１０の高さ方向に配置される。また、保持部１３に取り付けたバッテリ９０は、本体部１１の後部と比較して大きく形成されている。バッテリ９０は、本体部１１の後部の高さ方向の中央部を上下方向に跨いでいる。バッテリ９０の上端部は、トップハンドル４０の後端部よりも上方に突出している。
【００２３】
また、保持部１３には、バッテリ９０をバッテリ着脱部１２から取り外すためのイジェクト機構（図示せず）が設けられている。保持部１３にバッテリ９０を取り付けた状態で、バッテリ９０の上部に設けられたレバーを操作して、イジェクト機構を作動させることで、バッテリ９０を押し上げることができる。
【００２４】
また、保持部１３の後面には、図３に示すように、金属製の接続端子１６が設けられている。接続端子１６は、制御基板およびモータ３０（図１参照）に電気的に接続されている。そして、保持部１３の接続端子１６にバッテリ９０の接続端子が接続されることで、バッテリ９０から制御基板およびモータ３０に電力が供給される。
【００２５】
バッテリケース１４は、図１に示すように、バッテリ着脱部１２の下端部に形成されている。バッテリケース１４は、バッテリ９０の下部が収容される筒状の部位である。バッテリ９０の下部はバッテリケース１４に挿入される。
【００２６】
本体部１１の右側部には、図２に示すように、前方に突出している切断部２０が設けられている。切断部２０は、切断作業用の作業工具であり、ガイドバー２１およびソーチェン２２を備えている。
ガイドバー２１は、前後方向に延びている板状部材であり、ガイドバー２１の後端部が本体部１１の右側部に取り付けられている。
ガイドバー２１の外周部には、環状のソーチェン２２が巻回されている。ソーチェン２２の後端部は、モータ３０の出力軸に連結された駆動ギヤに係合されている。
モータ３０を駆動させて、駆動ギヤ（図示せず）を回転させると、ソーチェン２２がガイドバー２１の外周に沿って回転するように構成されている。
【００２７】
トップハンドル４０は、図１に示すように、本体部１１の上面に連続して形成されており、本体部１１の上方で前後方向に延びている。
トップハンドル４０の前端部４１は、本体部１１の上面の前端部から上方に向けて突出している。
【００２８】
トップハンドル４０の後端部４２は、バッテリ着脱部１２の保持部１３の上端部に連結されている。保持部１３にバッテリ９０を取り付けた状態では、バッテリ９０の上端部がトップハンドル４０の後端部よりも上方に突出している。
【００２９】
トップハンドル４０の前端部４１と後端部４２との間には、前後方向に延びている把持部４３が形成されている。把持部４３は、トップハンドル４０の前端部４１から後端部４２に向けて僅かに斜め下向きに傾斜している。
【００３０】
把持部４３は、作業者がチェンソー１を持つときに把持する部位である。把持部４３と本体部１１の上面との間の空間には、作業者の手が差し込まれる。
把持部４３には、作業者が把持した状態で、ソーチェン２２の回転を増減させるための操作手段であるトリガーレバー４３ａと、トリガーレバー４３ａのロックを解除するロック解除レバー４３ｂと、が設けられている。
【００３１】
横ハンドル５０は、図３に示すように、本体ケース１０の左側面の前部から後部に亘って、前後方向に延びている。横ハンドル５０は、円柱状の部材を折り曲げて形成されている。
横ハンドル５０の前端部は、トップハンドル４０の前端部４１の左側面に取り付けられている。横ハンドル５０の後端部は、モータ３０の出力軸３１よりも後方かつ下方に配置されており、バッテリケース１４の左側壁に取り付けられている。
横ハンドル５０の前端部と後端部との間の部位は、本体ケース１０の左側面に対して外側に膨らむように湾曲している（図２参照）。
【００３２】
本実施形態のチェンソー１では、図２に示すように、トップハンドル４０の前端部４１の上面に、サムレスト４５と、電源スイッチ４６と、表示灯４７と、が設けられている。
サムレスト４５、電源スイッチ４６および表示灯４７は、トップハンドル４０の上面に形成された窪み面４０ａに設けられている。窪み面４０ａは、把持部４３の上端面よりも僅かに窪んでいる（図４参照）。また、窪み面４０ａには、把持部４３の右側面よりも右側に突出している突出部４０ｂが形成されている。
【００３３】
サムレスト４５は、作業者が把持部４３を右手で把持したときに、右手の親指の腹面を載せる領域である。サムレスト４５は、把持部４３の左右方向の中央を通過している前後方向の軸線Ｌ上に配置されている。
【００３４】
電源スイッチ４６は、オンの状態でモータ３０（図１参照）を駆動可能となり、オフの状態でモータ３０の駆動を停止する押しボタン式スイッチである。電源スイッチ４６は、平面視で円形に形成されており、窪み面４０ａよりも僅かに突出している（図４参照）。電源スイッチ４６は、押す度にオンオフが切り替わる。
【００３５】
モータ３０の駆動が停止している状態から電源スイッチ４６を押してオンにすると、バッテリ９０から制御基板（図示せず）に電力が供給され、モータ３０の駆動を待機した状態となる。そして、ロック解除レバー４３ｂを押し込んだ状態で、トリガーレバー４３ａを引くと、バッテリ９０から制御基板を通じてモータ３０に電力が供給されて、モータ３０が駆動する。
モータ３０が駆動している状態で、電源スイッチ４６を押してオフにすると、モータ３０への電力の供給が遮断されてモータ３０の駆動が停止する。
【００３６】
電源スイッチ４６は、サムレスト４５に対して右側に並設されている。電源スイッチ４６は、窪み面４０ａの突出部４０ｂに配置されている。このように、電源スイッチ４６は、トップハンドル４０に対して、横ハンドル５０側（左側）の反対側（右側）に突出した位置に配置されている。
【００３７】
表示灯４７は、サムレスト４５に設けられたＬＥＤ（発光ダイオード）のランプである。表示灯４７は、電源スイッチ４６のオンオフの状態を示すものである。表示灯４７は、電源スイッチ４６がオンの状態で点灯し、オフの状態で消灯する。
【００３８】
図１に示すチェンソー１によって樹木や板などの切断対象物を切断する場合には、作業者は右手でトップハンドル４０の把持部４３を把持するとともに、左手で横ハンドル５０を把持して、チェンソー１を携帯する。
【００３９】
作業者が右手でトップハンドル４０の把持部４３を把持すると、掌でロック解除レバー４３ｂが押し込まれ、トリガーレバー４３ａのロックが解除される。また、把持部４３を把持した右手の親指の腹面を、図２に示すサムレスト４５に載せることで、作業者はトップハンドル４０を安定して持つことができる。
【００４０】
次に、作業者は右手の親指を右側にずらして電源スイッチ４６を押してオンにする。これにより、表示灯４７が点灯し、モータ３０の駆動を待機した状態となる。
そして、右手の親指の腹面をサムレスト４５に戻した後に、図１に示すように、右手の人差指でトリガーレバー４３ａを引くと、モータ３０が駆動して、ソーチェン２２が回転する。これにより、ソーチェン２２によって切断対象物を切断できる。
【００４１】
作業者は、作業中に親指をサムレスト４５に置いて切断対象物を切断できる。その場合には、作業状況に応じて、作業者は親指をサムレスト４５に軽く置いて把持部４３を把持し、安定して把持して切断作業を行ったり、親指でサムレスト４５を押して、切断対称物を押すようにして、切断作業を安定して行ったりする。
【００４２】
作業を停止する場合には、トリガーレバー４３ａを戻してモータ３０の駆動を停止した後に、右手の親指を右側にずらして電源スイッチ４６を押してオフにする。また、緊急に作業を停止する場合には、トリガーレバー４３ａを戻すことなく、右手の親指で電源スイッチ４６を押してオフにすることで、モータ３０の駆動を停止できる。
【００４３】
以上のようなチェンソー１（電動作業機）は、図１に示すように、本体ケース１０の後端部に大きなバッテリ９０を着脱自在である。また、本体ケース１０の上部には、前後方向に延びているトップハンドル４０が形成されている。トップハンドル４０の前端部４１の上面には、サムレスト４５と、電源スイッチ４６と、表示灯４７とが設けられている。電源スイッチ４６は、サムレスト４５に対して右側に配置されている。
【００４４】
本実施形態のチェンソー１では、作業者が把持部４３を把持したときに、サムレスト４５に親指の腹面を載せることで、トップハンドル４０を安定して把持できる。また、本体ケース１０の前部にモータ３０が収容され、後部に大きなバッテリ９０を取り付けられており、チェンソー１の前後の重量バランスが良い。したがって、作業時にチェンソー１の取り回しが良くなり、作業効率を高めることができる。
【００４５】
本実施形態のチェンソー１では、サムレスト４５が把持部４３の左右方向の中央を通過している前後方向の軸線Ｌ上に配置されている。この構成では、作業者が把持部４３を把持してサムレスト４５に親指の腹面を載せたときに、親指が軸線Ｌに沿って伸ばされるため、トップハンドル４０を安定して把持できる。
【００４６】
本実施形態のチェンソー１では、作業者がトップハンドル４０を把持したままで、親指によって電源スイッチ４６のオンオフを切り替えることができる。したがって、作業中にトップハンドル４０を把持したままで電源スイッチ４６をオフにしてモータ３０を停止させた後に、トップハンドル４０を把持したままで電源スイッチ４６をオンにして、速やかに作業を再開できる。
この場合、サムレスト４５の近傍に電源スイッチ４６があるので、作業者が誤操作で作業中に電源スイッチ４６をオフにしてしまっても、作業者がトップハンドル４０を把持したままの状態で再び電源スイッチ４６を押して作業を継続することが可能である。
【００４７】
このように、本実施形態のチェンソー１では、作業者がトップハンドル４０を安定して把持できるとともに、作業者が両手でチェンソー１を持ったままで、電源スイッチ４６のオンオフを切り換えることができる。そのため、本実施形態のチェンソー１では、作業を円滑に行うことができ、作業効率を高めることができる。
【００４８】
本実施形態のチェンソー１では、サムレスト４５の側方に電源スイッチ４６が配置されているため、トップハンドル４０の前後方向の長さを抑えて、本体ケース１０を小型化できる。ひいては、チェンソー１全体を小型化できる。
【００４９】
本実施形態のチェンソー１では、電源スイッチ４６が押しボタン式スイッチであるため、作業者は把持部４３を把持したままで、親指のみによって電源スイッチ４６を簡単に操作できる。
なお、本実施形態のチェンソー１では、把持部４３を右手で把持するように構成されており、電源スイッチ４６はサムレスト４５の右側に配置されている。把持部４３を把持した右手の親指は左側よりも右側にずらし難いため、電源スイッチ４６の誤操作を防ぐことができる。
【００５０】
本実施形態のチェンソー１では、サムレスト４５および電源スイッチ４６は、トップハンドル４０の上面に形成された窪み面４０ａに設けられているため、親指の腹面を窪み面４０ａに沿って移動させることで、電源スイッチ４６の位置を把握できる（図４参照）。
好ましくは、電源スイッチ４６を窪み面４０ａから僅かに上方へ突出させるとよい。このようにすれば、電源スイッチ４６の位置がわかり易く、しかも作業者は電源スイッチ４６をオフさせる際に、上方へ親指を動作させないと電源スイッチ４６をオフにできないので、電源スイッチ４６の誤動作を防ぐことができる。
【００５１】
本実施形態のチェンソー１では、サムレスト４５に電源スイッチ４６のオンオフの状態を示す表示灯４７が設けられているため、電源スイッチ４６の状態を的確に把握することでき、安全性を高めることができる。
【００５２】
本実施形態のチェンソー１では、バッテリ着脱部１２に取り付けたバッテリ９０の長手方向が、本体ケース１０の高さ方向に配置されている。この構成では、バッテリ９０の長手方向を横方向に向けた場合に比べて、バッテリ９０を高さ方向に大きくしても、バッテリ９０の重心を前側に寄せることができる。したがって、大きなバッテリ９０を備えたチェンソー１の作業時の取り回しを良くできるとともに、チェンソー１を小型化できる。
【００５３】
本実施形態のチェンソー１では、バッテリ着脱部１２に取り付けたバッテリ９０の上部は、トップハンドル４０の後端部よりも上方に突出し、把持部４３から後方に離れるように、バッテリ９０が傾斜している。この構成では、バッテリ９０を上下方向に長くしても、作業者が把持部４３を把持したときに、バッテリ９０の上部が邪魔にならないため、チェンソー１の操作性を低下させることなく、バッテリ９０を大きくできる。
【００５４】
以上、本発明の実施形態について説明したが、本発明は前記実施形態に限定されることなく、その趣旨を逸脱しない範囲で適宜に変更が可能である。
本実施形態のチェンソー１では、図２に示すように、サムレスト４５の右側に電源スイッチ４６が配置されているが、サムレスト４５の左側に電源スイッチ４６を配置してもよい。
【００５５】
本実施形態のチェンソー１では、トップハンドル４０の窪み面４０ａにサムレスト４５および電源スイッチ４６が設けられているが、窪み面４０ａを形成することなく、トップハンドル４０の上面にサムレスト４５および電源スイッチ４６を設けてもよい。
【００５６】
本実施形態では、本発明を適用したチェンソー１について説明しているが、本発明を適用可能な電動作業機は限定されるものではなく、刈払機、ヘッジトリマー、ブロワなどの各種の電動作業機に適用可能である。
【符号の説明】
【００５７】
１      チェンソー（電動作業機）
１０    本体ケース
１１    本体部
１２    バッテリ着脱部
１３    保持部
１４    バッテリケース
１５    着脱機構
１６    接続端子
２０    切断部（作業工具）
２１    ガイドバー
２２    ソーチェン
３０    モータ
３１    出力軸
４０    トップハンドル
４０ａ  窪み面
４０ｂ  突出部
４３    把持部
４３ａ  トリガーレバー
４３ｂ  ロック解除レバー
４５    サムレスト
４６    電源スイッチ
４７    表示灯
５０    横ハンドル
９０    バッテリ
【図１】
2020157406.tif 000003
【図２】
2020157406.tif 000004
【図３】
2020157406.tif 000005
【図４】
2020157406.tif 000006